(57)【特許請求の範囲】
【請求項１】
複数種類の操作画面を表示することが可能であり、各種の操作の入力がなされる操作パネルと、
前記操作パネルにおいて特定の操作が実行された回数をカウントするカウント手段と、
前記カウント手段によるカウント値が所定値を超えると、前記操作パネルに表示される操作画面を通常操作画面から簡易操作画面に変更する変更手段とを備え、
前記操作画面には設定操作を受け付けるための設定手段と設定をキャンセルする操作を受け付けるためのキャンセル手段とが設けられ、
前記カウント手段は、前記キャンセル手段の操作が実行された回数をカウントし、
前記変更手段は、前記キャンセル手段の操作が実行された回数を示す前記カウント値が前記所定値を超えると、前記通常操作画面を、設けられる前記設定手段がより少ない前記簡易操作画面に変更する、画像形成装置。
【請求項２】
前記所定値を任意の値に変更することが可能である、請求項１に記載の画像形成装置。
【請求項３】
操作者が使用することができる複数の機能ごとに前記所定値を保持する、請求項１または２に記載の画像形成装置。
【請求項４】
操作者を認証する操作者認証手段と、
前記操作者に関する情報を記憶する記憶手段とをさらに備え、
前記カウント手段は、前記操作者認証手段にて認証された操作者による前記キャンセル手段の操作が実行された回数をカウントし、
前記変更手段は、前記カウント手段によるカウント値が所定値を超えると、前記操作者認証手段にて認証された操作者が所定値以上の特定の操作をしたことを前記記憶手段に記憶する、請求項１〜３のいずれかに記載の画像形成装置。
【請求項５】
前記操作者認証手段によって操作者が認証されると、前記記憶手段を参照して、前記操作者認証手段にて認証された操作者が所定値以上の前記キャンセル手段の操作をしていた場合、前記操作パネルに表示される操作画面を通常の操作画面とは異なる、前記設定手段がより少ない簡易操作画面とすることを特徴とする、請求項４に記載の画像形成装置。
【請求項６】
前記通常操作画面に設けられる前記設定手段は、画像形成処理のための複数の機能のそれぞれを設定するためのものであり、
前記簡易操作画面に設けられる前記設定手段は、前記複数の機能のそれぞれについて予め規定値が設定されており、そのうちの一部機能について前記規定値を変更するためのものである、請求項１〜５のいずれかに記載の画像形成装置。
【請求項７】
前記簡易操作画面には、前記通常操作画面よりも少ない数の前記設定手段と共に、表示中の設定手段の設定項目とは異なる設定項目についての設定手段を表示させるために前記簡易操作画面を遷移させるための手段がさらに設けられる、請求項１〜６のいずれかに記載の画像形成装置。
【請求項８】
前記簡易操作画面には、前記通常操作画面よりも少ない数の前記設定手段と共に、前記設定手段での設定操作についての説明が表示される、請求項１〜７のいずれかに記載の画像形成装置。
【請求項９】
前記簡易操作画面には、前記通常操作画面よりも少ない数の前記設定手段と共に、前記操作パネルに表示される操作画面を前記簡易操作画面から前記通常操作画面に変更させるための手段がさらに設けられる、請求項１〜８のいずれかに記載の画像形成装置。
【請求項１０】
複数種類の操作画面を表示することが可能であり、各種の操作の入力がなされる操作パネルと、
前記操作パネルにおいて特定の操作が実行された回数をカウントするカウント手段とを備えた画像形成装置の制御方法であって、
前記操作画面には設定操作を受け付けるための設定手段と設定をキャンセルする操作を受け付けるためのキャンセル手段とが設けられ、
前記カウント手段による前記キャンセル手段の操作が実行された回数を示すカウント値が所定値を超えると、前記操作パネルに表示される操作画面を、設けられる前記設定手段がより少ない簡易操作画面に変更することを特徴とする、画像形成装置の制御方法。
【発明の詳細な説明】
【技術分野】
【０００１】
この発明は画像形成装置、および画像形成装置の制御方法に関し、特に複数種類の操作画面を表示することが可能であり、各種の操作の入力がなされる操作パネルを備えた画像形成装置、および画像形成装置の制御方法に関する。
【背景技術】
【０００２】
従来より、ネットワークに接続されるＭＦＰ（Multi Function Peripheral）、複写機、ファクシミリ機、プリンタなどの装置（以下、これらを総称して「画像形成装置」と呼ぶ。）が存在している。これらの装置の中には、装置本体に設けられた操作部からパラメータの設定ができるだけでなく、ネットワークを介して外部のコンピュータ（外部機器）から各種の操作（画像形成装置の制御）ができるものがある。
【０００３】
この種の画像形成装置では、操作者のユーザ名に対応するパスワードの情報を記憶装置に記憶しておき、操作部から、操作者のユーザ名およびパスワードが入力されると、記憶装置を参照して操作者を認証する。すなわち、画像形成装置の使用に際し、ユーザ名とパスワードとを操作部から入力させ、認証がなされた場合に、装置の使用を許可するようになっている。
【０００４】
画像形成装置の分野において、下記の特許文献１は、複数のレベルの異なるユーザが画像形成装置を使用する場合に、ユーザ毎に適した状態の操作パネルの画面表示を行なう画像形成装置を開示している。
【０００５】
下記の特許文献２は、ユーザが機器の操作に不案内である場合には、パネル上のキー押下のスピードが遅くなることに着目し、キー押下のスピードを監視し、それが所定値に達しない場合には、自動的にヘルプ機能を起動するファクシミリ装置を開示している。
【０００６】
下記の特許文献３は、メニュー表示のための操作およびヘルプ表示のための操作の操作履歴に基づいて、ヘルプ情報の提示を制御することにより、視聴者の制御操作の熟練度に応じた最適なメニュー情報の提示を行なう装置を開示している。
【特許文献１】特開２００３−１０１６９２号公報
【特許文献２】特開平８−９０７７号公報
【特許文献３】特開平７−２８４０３４号公報
【発明の開示】
【発明が解決しようとする課題】
【０００７】
一般に、レベルの異なる複数のユーザが１台の画像形成装置の操作パネルを使用する場合、操作パネルに多くの機能を設けると、操作習熟度の低いユーザにとっては分かり難く、操作がし辛いという問題がある。特に、多くの機能を有する画像形成装置において、全ての機能を網羅するために複雑な画面を表示すると、操作に習熟しているユーザにとっては問題ないが、習熟していないユーザにとっては非常に分かり難く不便を感じるという問題が生じる。
【０００８】
一方、通常の操作パネルの構成と簡易な操作パネルの構成とを用意して、それをユーザが任意に切替える構成を採用すると、切替え操作自体をユーザが煩雑に感じてしまうことになる。また、画面表示を変更するためにユーザは、設定変更メニューを開いて操作しなければならず、面倒であるという問題もある。
【０００９】
また、操作に習熟していない操作者への対応として、ガイダンス（ヘルプ）を表示する手法があるが、この手法は、操作方法自体を変更して操作性を改善するものではない。
【００１０】
さらに、上記特許文献１の技術は、操作者のユーザ名およびパスワードの入力による操作者の認証によって、ユーザ毎に予め用意した操作パネルの画面を表示するものであるが、全てのユーザに対してどの画面を表示させるかの事前設定を行なう必要があり、手間となる。
【００１１】
この発明は上記問題点を解決するためになされたものであり、ユーザに意識させず、ユーザの操作性を損なわずに、各ユーザに対して最適な操作パネルの表示を行なうことができる画像形成装置および画像形成装置の制御方法を提供することを目的としている。
【課題を解決するための手段】
【００１２】
上記目的を達成するためこの発明のある局面に従うと、画像形成装置は、複数種類の操作画面を表示することが可能であり、各種の操作の入力がなされる操作パネルと、操作パネルにおいて特定の操作が実行された回数をカウントするカウント手段と、カウント手段によるカウント値が所定値を超えると、操作パネルに表示される操作画面を異なるものに変更する変更手段とを備える。操作画面には設定操作を受け付けるための設定手段と設定をキャンセルする操作を受け付けるためのキャンセル手段とが設けられ、カウント手段は、キャンセル手段の操作が実行された回数をカウントし、変更手段は、キャンセル手段の操作が実行された回数を示すカウント値が所定値を超えると、操作画面を、設けられる設定手段がより少ない簡易操作画面に変更する。
【００１４】
好ましくは画像形成装置は、所定値を任意の値に変更することが可能である。
好ましくは画像形成装置は、操作者が使用することができる複数の機能ごとに所定値を保持する。
【００１５】
好ましくは画像形成装置は、操作者を認証する操作者認証手段と、操作者に関する情報を記憶する記憶手段とをさらに備え、カウント手段は、操作者認証手段にて認証された操作者によるキャンセル手段の操作が実行された回数をカウントし、変更手段は、カウント手段によるカウント値が所定値を超えると、操作者認証手段にて認証された操作者が所定値以上の特定の操作をしたことを記憶手段に記憶する。
【００１６】
好ましくは画像形成装置は、操作者認証手段によって操作者が認証されると、記憶手段を参照して、操作者認証手段にて認証された操作者が所定値以上のキャンセル手段の操作をしていた場合、操作パネルに表示される操作画面を通常の操作画面とは異なる、設定手段がより少ない簡易操作画面とすることを特徴とする。
好ましくは通常操作画面に設けられる設定手段は画像形成処理のための複数の機能のそれぞれを設定するためのものであり、簡易操作画面に設けられる設定手段は、複数の機能のそれぞれについて予め規定値が設定されており、そのうちの一部機能について規定値を変更するためのものである。
好ましくは、簡易操作画面には、通常操作画面よりも少ない数の設定手段と共に、表示中の設定手段の設定項目とは異なる設定項目についての設定手段を表示させるために簡易操作画面を遷移させるための手段がさらに設けられる。
好ましくは、簡易操作画面には、通常操作画面よりも少ない数の設定手段と共に、設定手段での設定操作についての説明が表示される。
好ましくは、簡易操作画面には、通常操作画面よりも少ない数の設定手段と共に、操作パネルに表示される操作画面を簡易操作画面から通常操作画面に変更させるための手段がさらに設けられる。
【００１７】
この発明の他の局面に従うと、画像形成装置は、複数種類の操作画面を表示することが可能であり、各種の操作の入力がなされる操作パネルと、特定の操作が行われてから特定の操作が行われるまでの時間を計測する計測手段と、計測手段による計測時間が所定値を超えると、操作パネルに表示される操作画面を異なるものに変更する変更手段とを備える。
【００１８】
好ましくは変更手段は、計測手段による計測時間が所定値を超えると、操作パネルに表示される操作画面を簡易操作画面に変更する。
【００１９】
好ましくは画像形成装置は、所定値を任意の値に変更することが可能である。
好ましくは画像形成装置は、操作者が使用することができる複数の機能ごとに所定値を保持する。
【００２０】
好ましくは画像形成装置は、操作者を認証する操作者認証手段と、操作者に関する情報を記憶する記憶手段とをさらに備え、計測手段は、操作者認証手段にて認証された操作者が、特定の操作を行なってから特定の操作を行なうまでの時間を計測し、変更手段は、計測手段による計測時間が所定値を超えると、操作者認証手段にて認証された操作者が所定時間操作をしなかったことを記憶手段に記憶する。
【００２１】
好ましくは画像形成装置は、操作者認証手段によって操作者が認証されると、記憶手段を参照して、操作者認証手段にて認証された操作者が所定時間操作をしなかったことが記録されていた場合、操作パネルに表示される操作画面を通常の操作画面とは異なる操作画面とすることを特徴とする。
【００２２】
この発明のさらに他の局面に従うと、複数種類の操作画面を表示することが可能であり、各種の操作の入力がなされる操作パネルと、操作パネルにおいて特定の操作が実行された回数をカウントするカウント手段とを備えた画像形成装置の制御方法は、操作画面に設定操作を受け付けるための設定手段と設定をキャンセルする操作を受け付けるためのキャンセル手段とが設けられ、カウント手段によるキャンセル手段の操作が実行された回数を示すカウント値が所定値を超えると、操作パネルに表示される操作画面、設けられる設定手段がより少ない簡易操作画面に変更することを特徴とする。
【００２３】
この発明のさらに他の局面に従うと、複数種類の操作画面を表示することが可能であり、各種の操作の入力がなされる操作パネルと、特定の操作が行われてから特定の操作が行われるまでの時間を計測する計測手段とを備えた画像形成装置の制御方法は、計測手段による計測時間が所定値を超えると、操作パネルに表示される操作画面を異なるものに変更することを特徴とする。
【発明の効果】
【００２４】
これらの発明に従うと、カウント手段によるカウント値、または計測手段による計測時間が所定値を超えると、操作パネルに表示される操作画面を異なるものに変更することができるので、ユーザに意識させず、ユーザの操作性を損なわずに、各ユーザに対して最適な操作パネルの表示を行なうことができる画像形成装置および画像形成装置の制御方法を提供することが可能となる。
【発明を実施するための最良の形態】
【００２５】
［第１の実施の形態］
図１は、本発明の第１の実施の形態におけるタッチパネル形式の操作パネルを有する画像形成装置（ＭＦＰ）の外観構成を示す図である。
【００２６】
図を参照して画像形成装置は、原稿の読取りを行なうスキャナを含むイメージリーダ部１０１と、液晶表示装置とタッチパネルとを含む操作パネル１０３と、プリントエンジン１０５と、給紙カセット１０７とを備えている。
【００２７】
画像形成装置は、操作パネル１０３におけるユーザの操作習熟度を判断し、操作習熟度の低いユーザに対しては、より簡易な操作パネルの構成を提供し、操作性向上を図る。
【００２８】
これにより、複数のレベルの異なるユーザが１台の画像形成装置の操作パネルを使用する環境において、各ユーザに対して最適な操作パネル構成をユーザに意識させずに提供することが可能となる。
【００２９】
図２は、画像形成装置のシステム構成を示す全体回路のブロック図である。
画像形成装置は、主な構成要素として、ＣＰＵ２０１、ＲＡＭ２０３、ＲＯＭ２０５、パネルリセットキー１０３ａを含む操作パネル１０３、スキャナ部２０９、プリンタ部２１１、記憶装置２１５、およびＮＩＣ（network interface card）２１５を備えている。
【００３０】
ＮＩＣ２１５は、ネットワークを介してＰＣからプリントジョブデータを受信したり、スキャンやＦＡＸ送信において画像データを送信したりするためのインターフェースである。
【００３１】
スキャナ部２０９は、セットされた原稿をスキャンし、原稿の画像データを得る公知の装置である。
【００３２】
プリンタ部２１１は、公知の電子写真方式により、スキャナ部２０９で作成された画像データなどを印刷のためのプリントデータに変換し、変換後のデータに基づいて文書等の画像を印刷する装置である。
【００３３】
操作パネル１０３は、コピーの画質、用紙設定や、スキャン画像の送信先の登録・選択を行なうための装置であり、表面にタッチパネルが積層された液晶表示部から構成される。
【００３４】
ＣＰＵ２０１は、ＲＯＭ２０５から必要なプログラムを読出して、システム全体の機能を制御する。ＲＯＭ２０５には、画像形成装置全体を制御するプログラムが格納されている。ＲＡＭ２０３は、ＣＰＵ２０１におけるプログラム実行時のワークエリアとなる。また、スキャナ部２０９で読取られた画像データ等が一時的に保存される。
【００３５】
図３〜５は、画像形成装置の動作を示すフローチャートである。
画像形成装置はユーザ認証機能を持ち、ユーザは画像形成装置を使用するために、ユーザＩＤとパスワードとを入力しなければならない。ステップＳ１０１において、ユーザＩＤおよびパスワードによるユーザ認証を実行する。
【００３６】
図６は、ステップＳ１０１で操作パネル１０３に表示されるユーザ認証を行なう画面を示す図である。
【００３７】
図を参照して、この画面に従いユーザは、ＩＤとパスワードとを入力する。画像形成装置は、入力されたＩＤとパスワードの組が記憶装置２１３に記憶されているかを判定することでユーザ認証を行なう。
【００３８】
認証がＯＫであれば、ステップＳ１０３でログイン処理を行なう。ここでは、ユーザＩＤが「Testuser」という名前でログインされたものとする。
【００３９】
ステップＳ１０５において、ユーザＩＤに対応するユーザの前回ログイン時の操作画面の設定を記憶装置２１３から参照し、ステップＳ１０７においてユーザの操作画面の設定が「通常操作画面」であるか「簡易操作画面」であるかを判定する。
【００４０】
「簡易操作画面」であれば、ステップＳ１３３（図５）において、ユーザに簡易操作画面を選択するか否かを決定させるための選択画面を表示する。
【００４１】
図７は、ステップＳ１３３で操作パネル１０３に表示される選択画面を示す図である。
図に示されるように、ユーザには、正常にログインがなされたことと、前回、簡易操作画面が使用されたことと、今回も簡易操作画面を使用するかの質問とが表示される。この画面において、ユーザは簡易操作画面を使用するか、通常操作画面を使用するかを選択することができる。
【００４２】
また、図７の画面においてユーザが「次回ログイン時には、この画面を表示しない」の項目をチェックすると、次回からの操作画面は、図７で選択された画面に固定される。
【００４３】
図５のステップＳ１３５で、選択された画面が通常操作画面であればステップＳ１０９へ進み、簡易操作画面であればステップＳ１３７へ進む。
【００４４】
なお、ステップＳ１３３で図７の画面を表示させずに、そのままステップＳ１３７へ進むようにしても良い。
【００４５】
ステップＳ１０７でユーザの操作画面の設定が「通常操作画面」である場合、またはステップＳ１３５で「通常操作画面」が選択されたのであれば、ステップＳ１０９において、特定のキー入力回数をカウントするための「操作キーカウンタ」の値をクリアし、ステップＳ１１１において、操作パネル１０３に従来どおりの通常操作画面を表示する。
【００４６】
なお、操作キーカウンタは、コピー用、ファックス用といった各機能ごとに複数用意してもよい。それらの操作キーカウンタは、該当する機能（コピー、ファックスなど）が選ばれている状態でのみ、カウントを行なう。
【００４７】
図８および図９は、操作パネル１０３に表示される通常操作画面の具体例を示す図である。
【００４８】
図８の画面においては、ユーザはコピーの基本設定として、用紙、倍率、片面／両面の選択を行なうことができる。また、図９の画面においては、ユーザはコピーの応用機能の設定として、カバーシート、綴じ代作成、画像付加などの設定を行なうことができる。
【００４９】
ステップＳ１１３において、ユーザは該当する機能を使用するために操作を開始する。すなわちユーザは、操作パネルによるコピー操作（または、ファックス操作、スキャン操作など）を行なう。
【００５０】
ステップＳ１１５において、特定のキー（ここでは、操作のキャンセルに利用されるパネルリセットキー１０３ａであるものとする。）が１回押される度に、操作キーカウンタを１加算する（ステップＳ１２３）。
【００５１】
ユーザが操作を終了する（該当機能のジョブが終了する、またはログオフする）までに、ステップＳ１１７において、操作キーカウンタが予め定められた閾値を超えたかを判定する。超えた場合、ステップＳ１２５において、ユーザＩＤに対応する操作画面の設定を、「簡易操作画面」として記憶装置２１３に記憶する。なお、操作キーカウンタの内容を判定するための閾値は、ユーザによって変更できるようにしてもよい。また、機能によってパネルリセットキーを押すと考えられる想定回数は異なるため、各機能ごとに異なる閾値を持たせてもよい。
【００５２】
その後、ステップＳ１２７において簡易操作画面への切替選択画面を操作パネル１０３に表示する。
【００５３】
図１０は、ステップＳ１２７で操作パネル１０３に表示される切替選択画面を示す図である。
【００５４】
図に示されるように、ユーザには、画面を簡易操作画面に切替えるか否かの質問が表示される。この画面において、ユーザは簡易操作画面を使用するか、通常操作画面を使用するかを選択することができる。
【００５５】
ステップＳ１２９において、切替選択画面で「はい」が選択された場合は、ステップＳ１３７へ進み、簡易操作画面の表示を行なう。「いいえ」が選択された場合は、元の通常操作画面に戻る。通常操作画面に戻った後は、ステップＳ１３１で再び操作キーカウンタをクリアする。なお、再度カウンタが閾値を超えた場合は、再び簡易操作画面への切替選択画面（図１０）を表示させてもよいし、表示させないようにしてもよい。
【００５６】
ステップＳ１１７でＮＯ、またはステップＳ１３１での処理の後、ステップＳ１１９でコピー操作（または、ファックス操作、スキャン操作など）が終了したか判定を行なう。ＹＥＳであればステップＳ１２１において、操作パネルによる操作を終了し、ログオフ状態とする。ＮＯであれば、ステップＳ１１３へ戻る。
【００５７】
次に、図５のステップＳ１３７以降で実行される、簡易操作画面の表示処理について説明する。
【００５８】
ステップＳ１３７において、操作パネル１０３に簡易操作画面が表示される。
図１１は、操作パネル１０３に表示される簡易操作画面の具体例を示す図である。
【００５９】
図１１の画面においては、簡易操作画面に切替えられた旨と、例として、「シンプルなコピー」と「いろいろな機能を使ったコピー」の２種類のうちのいずれを選択するかの提案をユーザに対して行なっている。
【００６０】
また、図１１の画面の下に示されるように、いつでも「通常操作画面」に戻るための表示を行なってもよい。また、図１１に示されるように、不慣れなユーザに対して補助的な情報を提供するために、画面下部に「アドバイス」欄を設けてもよい。
【００６１】
更には、「アドバイス」欄にてあるキーの説明を行なっている状態で、「アドバイス」欄がタッチされると、説明しているキーが点滅するような機能を備えることとしてもよい。
【００６２】
図１２は、シンプルなコピーが選択された場合に操作パネル１０３に表示される内容の具体例を示す図である。
【００６３】
図１１の画面において、ユーザが「シンプルなコピー」を選択した場合、図１２のようなシンプルな設定が表示される。この画面においては、ユーザの入力可能な事項を最小限として、不慣れなユーザでも正確な設定ができるようにしている。
【００６４】
ユーザは図１２の画面に従って設定を行い、スタートキーを押してコピーを開始する。
図１３は、コピー中に操作パネル１０３に表示される内容の具体例を示す図である。
【００６５】
コピー中もしくは終了後に、図１３のような画面を表示させて、次の操作を不慣れなユーザに促す。
【００６６】
図１４は、いろいろな機能を使ったコピーが選択された場合に操作パネル１０３に表示される内容の具体例を示す図である。
【００６７】
「いろいろな機能を使ったコピー」が選択された場合は、図１４から図１９のようなウィザード形式の設定をユーザに提供する。ユーザはそれらに従って設定を行い、スタートキーを押してコピーを開始する。そして、コピー中もしくは終了後に、図１３のような画面を表示させて、次の操作を不慣れなユーザに促す。
【００６８】
より詳しくは、図１４の画面においては、表面のみをコピーしたい原稿かをユーザに質問し、それに基づきコピーモードの設定を行なう。画面中の「次へ」が押下されると、図１５の画面が表示される。
【００６９】
図１５は、図１４の画面の次に操作パネル１０３に表示される内容の具体例を示す図である。
【００７０】
図１５の画面においては、用紙の裏面にもコピーを行ないたいかをユーザに質問し、それに基づきコピーモードの設定を行なう。画面中の「次へ」が押下されると、図１６の画面が表示される。
【００７１】
図１６は、図１５の画面の次に操作パネル１０３に表示される内容の具体例を示す図である。
【００７２】
図１６の画面においては、用紙の種類、サイズを変更するかをユーザに質問し、それに基づきコピーモードの設定を行なう。画面中の「次へ」が押下されると、図１７の画面が表示される。
【００７３】
図１７は、図１６の画面の次に操作パネル１０３に表示される内容の具体例を示す図である。
【００７４】
図１７の画面においては、出力部数、仕上がりを変更するかをユーザに質問し、それに基づきコピーモードの設定を行なう。画面中の「次へ」が押下されると、図１８の画面が表示される。
【００７５】
図１８は、図１７の画面の次に操作パネル１０３に表示される内容の具体例を示す図である。
【００７６】
図１８の画面においては、他の機能を実行するかをユーザに質問し、それに基づきコピーモードの設定を行なう。画面中の「次へ」が押下されると、図１９の画面が表示される。
【００７７】
図１９は、図１８の画面の次に操作パネル１０３に表示される内容の具体例を示す図である。
【００７８】
図１９の画面においては、コピーの設定を完了した旨を表示し、設定の確認／変更を行なうかをユーザに質問する。原稿がセットされ、スタートキーが押下されると、コピーが開始される。
【００７９】
図５のステップＳ１３９においては、操作パネルによるコピー操作を実行し、ステップＳ１４１においてコピー操作終了画面を表示し、ステップＳ１２１へ進む。
【００８０】
このように、本実施の形態においては、操作に不慣れなユーザが多く使用すると考えられるパネルリセットキーの押下回数を操作キーカウンタでカウントし、そのカウント値に基づいて、簡易操作画面を表示するか、通常操作画面を表示するかを切替えることとしている。これにより、ユーザに特別な操作をさせることなく、またユーザに特に意識させることなく、ユーザの状況に応じた適切な表示を操作パネルで行なうことができる。
【００８１】
［第２の実施の形態］
本発明の第２の実施の形態における画像形成装置（ＭＦＰ）の構成は、第１の実施の形態におけるそれと同じであるためここでの説明を繰返さない。
【００８２】
本実施の形態における画像形成装置では、図３および４に示される処理に代えて、図２０および図２１に示される処理が行なわれる。
【００８３】
図２０および図２１は、第２の実施の形態における画像形成装置が実行する処理の一部を示すフローチャートである。
【００８４】
図を参照して、ステップＳ２０１〜２０７での処理は、ステップＳ１０１〜Ｓ１０７での処理と同じであるため、ここでの説明を繰返さない。
【００８５】
ステップＳ２０７でユーザの操作画面の設定が「通常操作画面」である場合、またはステップＳ１３５（図５）で「通常操作画面」が選択されたのであれば、ステップＳ２０９において、ユーザにより操作がなされなかった時間を計測するための「内部タイマ」の値をクリアし、ステップＳ２１１において、操作パネル１０３に従来どおりの通常操作画面（図８、図９）を表示する。
【００８６】
ステップＳ２１３において、ユーザは該当する機能を使用するために操作を開始する。すなわちユーザは、操作パネルによるコピー操作（または、ファックス操作、スキャン操作など）を行なう。
【００８７】
ステップＳ２１５において、何かキーが押されたかを判定し、ＮＯであれば、ステップＳ２１９へ進む。ステップＳ２１５でＹＥＳであれば、ステップＳ２５１において内部タイマはカウントしているかを判定する。ステップＳ２５１でＮＯであれば、ステップＳ２５３において内部タイマのカウントを開始する。その後、ステップＳ２１９へ進む。
【００８８】
また、ステップＳ２５１でＹＥＳであれば、ステップＳ２５５で内部タイマのカウントを終了する。そしてステップＳ２５７で、カウント時間は予め定められた閾値を超えたかを判定する。超えた場合、ステップＳ２５９において、ユーザＩＤに対応する操作画面の設定を、「簡易操作画面」として記憶装置２１３に記憶する。なお、内部タイマの内容を判定するための閾値は、ユーザによって変更できるようにしてもよい。また、機能によってキーの操作に要する時間は異なる（また、機能によってキーを押すタイミングは異なる）ため、各機能ごとに異なる閾値を持たせてもよい。
【００８９】
その後、ステップＳ２６１において簡易操作画面への切替選択画面（図１０）を操作パネル１０３に表示する。
【００９０】
ステップＳ２６３において、切替選択画面で「はい」が選択された場合は、ステップＳ１３７（図５）へ進み、簡易操作画面の表示を行なう。「いいえ」が選択された場合は、元の通常操作画面に戻る。通常操作画面に戻った後は、ステップＳ２６５で再び内部タイマをクリアする。なお、再度内部タイマの値が閾値を超えた場合は、再び簡易操作画面への切替選択画面（図１０）を表示させてもよいし、表示させないようにしてもよい。
【００９１】
ステップＳ２５７でＮＯ、またはステップＳ２６５での処理の後、ステップＳ２１９でコピー操作（または、ファックス操作、スキャン操作など）が終了したか判定を行なう。ＹＥＳであればステップＳ２２１において、操作パネルによる操作を終了し、ログオフ状態とする。ＮＯであれば、ステップＳ２１３へ戻る。
【００９２】
なお、内部タイマは、コピー用、ファックス用といった各機能ごとに用意してもよい。それらは該当する機能が選ばれている状態でのみカウントを行なう。
【００９３】
この実施の形態においては、ユーザが該当機能を使用するために操作を開始した場合において、何かキーが押された時点で内部タイマのカウントを開始し、次に何かキーが押されたら内部タイマのカウントを停止し、そのカウント時間を得る。カウント時間が長ければ長いほどユーザのキー操作における迷いが大きいと判断している。
【００９４】
得られたカウント時間が閾値を超えた場合、簡易操作画面への切替選択画面を表示させ、同時に記憶装置において該当ユーザの操作画面を「簡易操作画面」と記憶する。
【００９５】
このように、本実施の形態においては、操作に不慣れなユーザにとって長くなると考えられるキー入力のインターバル時間を測定し、その測定値に基づいて、簡易設定画面を表示するか、通常操作画面を表示するかを切替えることとしている。これにより、ユーザに特別な操作をさせることなく、またユーザに特に意識させることなく、ユーザの状況に応じた適切な表示を操作パネルで行なうことができる。
【００９６】
［その他］
なお、上記実施の形態において、機能ごとに閾値である所定値を変更することが可能である旨述べたが、ここで指す機能とは、昨今の画像形成装置に搭載されるコピー、ファクス、プリンタといった広義の機能の他に、広義の機能がそれぞれ備える狭義の機能（例えば片面コピーや両面コピー）も含まれるものである。
【００９７】
［実施の形態における効果］
上記第１の実施の形態の構成によると、（例えばパネルリセットキー押下のような、操作者による設定のキャンセル操作に該当する）特定の操作が行われた回数をカウントし、その回数が所定の値を超えた場合は、その操作者は不慣れであると判断し、操作パネルを通常の操作画面情報ではなく簡易で判り易い操作画面情報に切替えることができる。
【００９８】
また、操作が不慣れであると判断するには個人差があるため、切替えの判断に用いる所定値は、任意に変更することも可能である。
【００９９】
また、画像形成装置の持つ機能ごとに特定の操作が行なわれると想定される回数は異なるため、その各機能ごとに異なる所定値を保持することも可能である。
【０１００】
また、操作者を認証する操作者認証機能、操作者に関する情報を記憶する記憶装置を画像形成装置に備えさせることで、認証した操作者ごとに特定の操作が所定回数行われたことを記憶することも可能である。
【０１０１】
また、操作者を認証した時点で、その操作者が過去に特定の操作を所定回数行ったかどうかを記憶装置より参照し、もし行っていた場合は、操作画面をすぐに切替えることも可能である。
【０１０２】
また、第２の実施の形態の構成によると、特定の操作が行われてから特定の操作が行われるまでの時間を計測し、その時間が所定時間より長い場合は、その操作者は操作に迷う不慣れな操作者であると判断し、操作パネルを通常の操作画面情報ではなく簡易で判り易い操作画面情報に切替えることができる。
【０１０３】
特定の操作が行われてから特定の操作が行われるまでの時間とは、何かキーが押されてから次に何かキーが押されるまでの時間といった単純なパターンでもよいし、ある特定のキーが押されてから異なる特定のキーが押されるまでの時間といった限定されたパターンでもよい。
【０１０４】
以上説明したように、本実施の形態によると、操作者の操作不慣れを自動的に判断することができ、通常の操作画面から簡易な（機能を抑えた）操作画面を提供することで、ユーザに最適な操作環境を提供することができる。
【０１０５】
なお、上述の実施の形態における処理は、ソフトウエアによって行なっても、ハードウエア回路を用いて行なってもよい。
【０１０６】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１０７】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【０１０８】
【図１】本発明の第１の実施の形態におけるタッチパネル形式の操作パネルを有する画像形成装置（ＭＦＰ）の外観構成を示す図である。
【図２】画像形成装置のシステム構成を示す全体回路のブロック図である。
【図３】画像形成装置の動作を示すフローチャートである。
【図４】図３に続くフローチャートである。
【図５】図４に続くフローチャートである。
【図６】ステップＳ１０１で操作パネル１０３に表示されるユーザ認証を行なう画面を示す図である。
【図７】ステップＳ１３３で操作パネル１０３に表示される選択画面を示す図である。
【図８】操作パネル１０３に表示される通常操作画面の具体例を示す図である。
【図９】操作パネル１０３に表示される通常操作画面の具体例を示す図である。
【図１０】ステップＳ１２７で操作パネル１０３に表示される切替選択画面を示す図である。
【図１１】操作パネル１０３に表示される簡易操作画面の具体例を示す図である。
【図１２】シンプルなコピーが選択された場合に操作パネル１０３に表示される内容の具体例を示す図である。
【図１３】コピー中に操作パネル１０３に表示される内容の具体例を示す図である。
【図１４】いろいろな機能を使ったコピーが選択された場合に操作パネル１０３に表示される内容の具体例を示す図である。
【図１５】図１４の画面の次に操作パネル１０３に表示される内容の具体例を示す図である。
【図１６】図１５の画面の次に操作パネル１０３に表示される内容の具体例を示す図である。
【図１７】図１６の画面の次に操作パネル１０３に表示される内容の具体例を示す図である。
【図１８】図１７の画面の次に操作パネル１０３に表示される内容の具体例を示す図である。
【図１９】図１８の画面の次に操作パネル１０３に表示される内容の具体例を示す図である。
【図２０】第２の実施の形態における画像形成装置が実行する処理の一部を示すフローチャートである。
【図２１】図２０に続くフローチャートである。
【符号の説明】
【０１０９】
１０１  イメージリーダ部、１０３  操作パネル、１０３ａ  パネルリセットキー、１０５  プリントエンジン、２０９  スキャナ部、２１１  プリンタ部、２１３  記憶装置。
【図１】
0004635761.tif 000002
【図２】
0004635761.tif 000003
【図３】
0004635761.tif 000004
【図４】
0004635761.tif 000005
【図５】
0004635761.tif 000006
【図６】
0004635761.tif 000007
【図７】
0004635761.tif 000008
【図８】
0004635761.tif 000009
【図９】
0004635761.tif 000010
【図１０】
0004635761.tif 000011
【図１１】
0004635761.tif 000012
【図１２】
0004635761.tif 000013
【図１３】
0004635761.tif 000014
【図１４】
0004635761.tif 000015
【図１５】
0004635761.tif 000016
【図１６】
0004635761.tif 000017
【図１７】
0004635761.tif 000018
【図１８】
0004635761.tif 000019
【図１９】
0004635761.tif 000020
【図２０】
0004635761.tif 000021
【図２１】
0004635761.tif 000022